(57)【要約】【課題】腓骨切断箇所の骨癒合を防止する接続装置の構造を提供する。【解決手段】  主に第一接続部、第二接続部、弾性部で構成する腓骨切断箇所の骨癒合を防止する接続装置である。該第一接続部は、脛骨の外側且つ切断した腓骨の第一切断端と接続するためのものである。及び、該第二接続部は、該腓骨の第二切断端と接続するためのものである。及び、一つの弾性部は、該第一、第二接続部の間を接続することで、該弾性部は第一、第二接続部の間の作用力により弾性変形する。このように本発明を腓骨切断箇所の両端に接続することを介し、有効的に切断された腓骨が剛性を呈して再度癒合するのを防止することができ、患者の脛骨の外側の支える力を排除することができ、脛骨が均等に沈降することになる。【選択図】図２
2017038923.tif 000002
【特許請求の範囲】
【請求項１】
一つの第一接続部、一つの第二接続部、一つの弾性部を含み、
該第一接続部は該腓骨切断箇所の第一切断端を接続するためのものであり、該第二接続部は該腓骨切断箇所の第二切断端を接続するためのものであり、及び、
該弾性部は該第一、第二接続部の間を接続し、それにより該弾性部は第一、第二接続部の作用力を受けて弾性的に変形するため、患者が運動する際に生まれる外力或いは振動を緩衝し、且つ切断された腓骨が新たに癒合するのを防止することを特徴とする腓骨切断箇所の骨癒合を防止する接続装置。
【請求項２】
前記第一、第二接続部の一端をそれぞれ該弾性部の中に嵌めることを特徴とする請求項１記載の腓骨切断箇所の骨癒合を防止する接続装置。
【請求項３】
前記該第一接続部の該一端を該弾性部の中に嵌め、該第二接続部は該弾性部の一つの滑り穴の中に滑り入れ、且つ該弾性部の直径方向に一つの縦穴を設け、該縦穴が直径方向に該滑り穴と連通することを特徴とする請求項１記載の腓骨切断箇所の骨癒合を防止する接続装置。
【請求項４】
前記該第一接続部は第一穴を設け、該腓骨の第一切断端を内側に套接し、該第二接続部は第二穴を設け、該腓骨の第二切断端を内側に套接することを特徴とする請求項１記載の腓骨切断箇所の骨癒合を防止する接続装置。
【請求項５】
前記該第一、第二接続部と弾性部は、弾性材料で一体成型し、該弾性部は固体状或いは中空パイプ状を呈することを特徴とする請求項１記載の腓骨切断箇所の骨癒合を防止する接続装置。
【請求項６】
前記弾性部は中空パイプ状を呈し、且つ一つの材料充填穴を設けることを特徴とする請求項１記載の腓骨切断箇所の骨癒合を防止する接続装置。
【請求項７】
前記該弾性部は該第一、第二接続部の間に套接することを特徴とする請求項１記載の腓骨切断箇所の骨癒合を防止する接続装置。
【請求項８】
前記該第一接続部と該弾性部は一体成型であり、該第二接続部は該第一接続部と弾性部の外縁にスライドして套設することができることを特徴とする請求項１記載の腓骨切断箇所の骨癒合を防止する接続装置。
【請求項９】
前記該弾性部は中空状を呈し、且つ一つの固体弾性柱或いはシリコンを該弾性部の中に充填することを特徴とする請求項１記載の腓骨切断箇所の骨癒合を防止する接続装置。
【請求項１０】
前記該第一、第二接続部の外縁に、複数の突出リングを周設することを特徴とする請求項５記載の腓骨切断箇所の骨癒合を防止する接続装置。
【請求項１１】
前記該第一、第二接続部にそれぞれ固定穴を設けることを特徴とする請求項１記載の腓骨切断箇所の骨癒合を防止する接続装置。
【請求項１２】
前記該弾性部は圧縮槽を設けることで、該弾性部の両端から相対して軸方向に圧縮することができ、且つ軸方向に弾力を持って外側に伸展して復帰することを特徴とする請求項２記載の腓骨切断箇所の骨癒合を防止する接続装置。
【請求項１３】
前記該第一接続部は一つの突出柱を呈し、該腓骨の第一切断端の骨髄腔の中に挿入するためのものであり、該第二接続部は一つの突出柱を呈し、該腓骨の第二切断端の骨髄腔の中に挿入するためのものであることを特徴とする請求項１記載の腓骨切断箇所の骨癒合を防止する接続装置。
【発明の詳細な説明】
【技術分野】
【０００１】
本発明は腓骨切断箇所の骨癒合を防止する接続装置に関し、特に、脛骨外側の支える力を軽減すると共に、切断された腓骨の牽制を受ける接続装置の構造に関する。
【背景技術】
【０００２】
目下ひざ関節病変を治療する際、多くは人工関節を交換する方法を採用して患者の病変部分を取り除く。しかし、人工関節を交換する手術では、患者の多くの骨を切除する必要があり、患者は比較的大きな傷口を開ける必要がある。そのため、この類の手術は比較的大きなリスク及び回復が比較的遅い欠点を具有する。
【０００３】
骨粗しょう症によって引き起こす内側ひざ関節の病変について、例えば、中国の張英沢教授が提出された「ひざ関節不均等沈降」理論がある。該理論で指摘するのは、人体の脛骨の骨粗鬆或いは退化すると、沈降現象が起きる。しかし、人体の脛骨の外側は、腓骨によって支えられているため、脛骨に不均等な沈降現象が発生することで、人体が受ける重力は脛骨の内側に変位する。それによりひざ関節内側病変を引き起こし、患者のひざ関節の痛み、不快感を引き起こす。該理論に基づき、この類の病変の解決方法について、脛骨の外側に位置する腓骨を切断する手術を行い、脛骨外側の支えを取り除くことで、それによって患者は緩和され、この類の病変により生じるひざ関節の痛みと不快感を和らげ、取り除くことができる。
【発明の概要】
【発明が解決しようとする課題】
【０００４】
上述の方法において、患者の腓骨を切断した後、切断した腓骨を接続する適切な接続部品がない。よって、患者が腓骨を切断した後の回復過程において、腓骨は、筋肉の牽引を受けて動く、変位、或いは腓骨が切断した端の骨組織の中で随意に成長し、制限をされない。患者は、予想する安定した良好な復元結果を得ることができず、手術失敗のリスクだけが高くなり、更に患者がその後活動する際に、無意味な憂いが心に生じやすくなる。
【０００５】
更に臨床では、一部の患者が長年経ってから、腓骨を切断した場所が比較的近いため、且つ有効的に隔離されておらず、沈降作用により、元々分離した腓骨の切断した両端がまた接触し、それにより腓骨が切断箇所にて癒合し、再び脛骨の外側に支える力が生まれる。このことで、脛骨にまた不均等な沈降が発生させることで、患者の脛骨内側の痛む病変が再発し、治療が失敗になることを鑑みて、更なる改善が必要であった。
【０００６】
そこで、本発明は、上記事情に鑑みてなされたものであって、その目的とするところは一種の腓骨切断箇所の骨癒合を防止する接続装置を提供するものである。それに含まれるのは一つの第一接続部、一つの第二接続部及び一つの弾性部である。該第一接続部は該腓骨切断箇所の第一切断端と接続するものである。該第二接続部は該腓骨Ｆ切断箇所の第二切断端と接続するものである。及び該弾性部は該第一、第二接続部の間を接続することで、該弾性部は第一、第二接続部の作用力を受けて弾性的に変形する。このように本発明を切断された腓骨の両端に接続することで、切断された腓骨は剛性接合或いは融合を呈せず、該弾性部を介して外力変形の特性に従うため、接続された腓骨は脛骨の外側に対して強大な支える力が発生せず、患者の脛骨外側の支えを排除するため、脛骨が均等に沈降することができ、患者の脛骨の内側が圧迫されて痛みが発生する病変を取り除くことができ、且つ腓骨切断端が任意に動く問題を解決することができる腓骨切断箇所の骨癒合を防止する接続装置を提供することにある。
【課題を解決するための手段】
【０００７】
上述の目的を解決するために、本発明は腓骨切断箇所の骨癒合を防止する接続装置を提供するものである。該第一、第二接続部は金属材料、ポリマー材料或いはセラミック材料から作ることができ、該一端をそれぞれ該弾性部の中に嵌める。前記該第一、第二接続部にそれぞれ固定穴を設けることで、該第一、第二接続部はそれぞれネジを介して該腓骨に螺接することができる。
【０００８】
本発明で掲げる腓骨切断箇所の骨癒合を防止する接続装置は、該第一接続部の一端を該弾性部の中に嵌める。該第二接続部は該弾性部の一つの滑り穴の中に滑り入れる。且つ該弾性部の直径方向に一つの縦穴を設け、該縦穴が直径方向に該滑り穴と連通する。このように、ツールを介し、該縦穴の中に入れ、外向けに押し出して該滑り穴の中の第二接続部に滑り入れる。
【０００９】
本発明で掲げる腓骨切断箇所の骨癒合を防止する接続装置は、該第一接続部は第一穴を設け、該腓骨の第一切断端を内側に位置させて套接するためのものである。該第二接続部は第二穴を設け、該腓骨の第二切断端を内側に位置させて套接するためのものである。切断された腓骨の変位を牽制し、且つ腓骨の切断箇所に新しく骨組織が任意に成長するのを制限する。
【００１０】
本発明で掲げる腓骨切断箇所の骨癒合を防止する接続装置は、該第一、第二接続部及び該弾性部は、シリコンなどの弾性材料で一体成型することができ、且つ該弾性部は固体状或いは中空パイプ状を呈すことができる。
【００１１】
本発明で掲げる腓骨切断箇所の骨癒合を防止する接続装置は、該弾性部は中空状を呈し、且つ一つの固体弾性柱或いはシリコンを該弾性部の中に充填する。或いは中空パイプ状を呈す該弾性部に、一つの材料充填穴を設け、該充填穴を介し、シリコンなどの弾性充填物を該弾性部内に注入する。
【００１２】
本発明で掲げる腓骨切断箇所の骨癒合を防止する接続装置は、該弾性部は該第一、第二接続部の間に通す。或いは該第一接続部と該弾性部は一体成型であり、該第二接続部は該第一接続部と弾性部の外縁にスライドして套設することができる。
【００１３】
本発明で掲げる腓骨切断箇所の骨癒合を防止する接続装置は、該第一、第二接続部の外縁に、複数の突出リングを周設することで、該第一、第二接続部が腓骨を套接する過程において、破裂するのを避けることができる。本発明の強化構造とすることができ、また、異なる患者が使用する長さに基づき、裁断する基準になることもできる。
【００１４】
本発明で掲げる腓骨切断箇所の骨癒合を防止する接続装置は、該弾性部に圧縮槽を設けることで、該弾性部の両端から相対して軸方向に圧縮することができ、本発明はスムーズに該腓骨切断箇所の両端の間に植え込むことができる。
【００１５】
本発明で掲げる腓骨切断箇所の骨癒合を防止する接続装置は、該第一接続部は次第に鋭くなる釘状或いは円柱状にすることができ、該腓骨の第一切断端の骨髄腔の中に挿入するためのものである。該第二接続部も次第に鋭くなる釘状或いは円柱状にすることができ、該腓骨の第二切断端の骨髄腔の中に挿入するためのものである。
【発明の効果】
【００１６】
本発明の構造により、腓骨切断箇所の両端に接続することを介し、有効的に切断された腓骨が剛性を呈して再度癒合するのを防止することができ、患者の脛骨の外側の支える力を排除することができ、脛骨が均等に沈降することになる。
【図面の簡単な説明】
【００１７】
【図１】本発明の第１実施例の立体図である。
【図２】図１に示す実施例の応用状態略図である。
【図３】本発明の第２実施例の立体図である。
【図４】図３に示す実施例の応用状態略図である。
【図５】本発明の第３実施例の略図である。
【図６】本発明の第４実施例の略図である。
【図７】本発明の第５実施例の略図である。
【図８】本発明の第６実施例の略図である。
【図９】本発明の第７実施例の略図である。
【図１０】本発明の第８実施例の略図である。
【図１１】図１０に示す実施例の応用状態略図である。
【図１２】本発明の第９実施例の立体図である。
【図１３】図１２に示す実施例の応用状態略図である。
【図１４】本発明の第１０実施例の立体図である。
【図１５】図１４に示す実施例を相対して圧縮する略図である。
【図１６】図１４に示す実施例の応用状態略図である。
【図１７】本発明の第１１実施例の略図である。
【図１８】本発明の第１２実施例の略図である。及び
【図１９】図１８から第二接続部が延伸する略図である。
【発明を実施するための形態】
【００１８】
（実施例１）  
以下に、本発明の実施の形態を説明文及び各図式を使って明確に説明する。
【００１９】
図１〜図１９に示すのは、本発明の腓骨切断箇所の骨癒合を防止する接続装置である。それに含まれるのは一つの第一接続部、一つの第二接続部及び一つの弾性部である。該第一接続部１１は、該腓骨Ｆ切断箇所の第一切断端Ｆ１と接続するものである。該第二接続部１２は、該腓骨Ｆ切断箇所の第二切断端Ｆ２と接続するものである。そして、該弾性部１３は、該第一、第二接続部１１，１２の間を接続し、且つ第一、第二接続部１１、１２の作用力を受けて弾性的に変形する。
【００２０】
このように本発明を切断された腓骨Ｆの第一、第二切断端Ｆ１、Ｆ２に接続し、本発明の弾性部１３が外力に従って変形できる特性を介し、患者が運動する際に生まれる外力或いは振動を緩和する。
【００２１】
このことで、接続された腓骨Ｆが剛性骨格を呈せず、脛骨Ｔの外側Ｌ(ｌａｔｅｒａｌ ｐｏｒｔｉｏｎ)の支える力を排除することができ、患者の脛骨の内側Ｍ[ｍｅｄｉａｌ ｐｏｒｔｉｏｎ (ｏｒ ｓｉｄｅ)]が股骨Ｆｅに圧迫されて痛みが発生する病変を取り除くことができる。
【００２２】
また、切断された腓骨Ｆの両端を有効的に牽制及び隔離することができる。腓骨Ｆの切断端が任意に動く或いは再度新たに癒合する問題を解決することができ、また、その後患者が切断された腓骨が適切な処置をされていない心の憂いを無くすことができる。
【００２３】
図１及び図２に示すように、第一接続部１１は、第一穴１１１を設け、脛骨の外側且つ切断された腓骨Ｆの第一切断端Ｆ１を内側に位置させて套接（外挿接続）するためのものである。第二接続部１２は、第二穴１２１を設け、切断された該腓骨Ｆの第二切断端Ｆ２を内側に位置させて套接（外挿接続）するためのものである。腓骨Ｆの第一、第二切断端Ｆ１、Ｆ２は、第一、第二接続部１１、１２が套接（外挿）するため、その結果、有効的に腓骨Ｆの切断箇所が復元の過程において、任意に成長或いは接触して癒合現象が発生するのを避けることができる。
【００２４】
図１、図２及び図３に示すように、本発明で掲げる腓骨切断箇所の骨癒合を防止する接続装置の第一、第二接続部１１、１２及び弾性部１３は、シリコンなどの弾性材料で一体成型することができ、且つ一つの中空パイプを形成する。該中空パイプの第一端の軸方向に第一穴１１１を凹設し、該第一接続部１１と定める。該中空パイプの第二端の軸方向に第二穴１２１を凹設し、該第二接続部１２と定める。且つ該第一、第二接続部１１、１２の間に該弾性部１３と定めて形成する。
【００２５】
前記中空パイプを呈す弾性部１３に、少なくとも一つの穴１３１を開け、套接（外挿接続）された腓骨Ｆから生まれる組織液或いは血液を排出するために用いる。
（実施例２）  
図３及び図４に示すように、本発明で掲げる腓骨切断箇所の骨癒合を防止する接続装置は、中空パイプ状を呈す弾性部１３内に、一つの固体弾性柱１３２が挿入されている。該固体弾性柱１３２は、患者のニーズに基づき、シリコン或いはその他の異なる弾性係数の弾性物質から形成される。
（実施例３）  
本発明で掲げる腓骨切断箇所の骨癒合を防止する接続装置は、弾性部１３が中空パイプ状であって、且つシリコンなどの充填物１４を内部に入れることができる。図１及び図５に示すように、該弾性部１３は中空状を呈し、且つ少なくとも一つの穴１３１を開ける。第一、第二接続部１１、１２を切断された腓骨Ｆの第一、第二切断端Ｆ１、Ｆ２に套接（外挿接続）した後、注射器Ｃを通じて、該穴１３１からシリコンなどの充填物１４を該弾性部１３の中に注入することができる。
（実施例４）  
図６に示すように、本発明で掲げる腓骨切断箇所の骨癒合を防止する接続装置は、第一、第二接続部１１、１２と弾性部１３がシリコンなどの弾性材料で一体成型されている。第一端の軸方向に第一穴１１１を凹設し、該第一接続部１１と定める。第二端の軸方向に第二穴１２１を凹設し、該第二接続部１２と定める。且つ該第一、第二接続部１１、１２の間に、該弾性部１３と定めて形成し、且つ該弾性部１３は固体状を呈している。
（実施例５）  
図７に示すように、本発明で掲げる腓骨切断箇所の骨癒合を防止する接続装置は、第一、第二接続部１１、１２と弾性部１３が弾性材料で一体成型されている。該第一、第二接続部１１、１２の外縁に、複数の突出リング１５を周設することで、該第一、第二接続部１１、１２が腓骨Ｆを套接（外挿接続）する過程において、破裂するのを避けることができる。また、異なる患者が使用する長さに基づき、裁断する基準になることもできる。
（実施例６）  
（実施例７）  
図８に示すように、本発明で掲げる腓骨切断箇所の骨癒合を防止する接続装置は、第一接続部１１と弾性部１３が一体成型となっている。該第二接続部１２は、該第一接続部１１と弾性部１３の外にスライドして套設（外挿接続）することができる。前記各部品の間で互いにスライド調整することができ、本発明を異なる患者が設置するのに必要な長さに適用することができる。
（実施例８）  
なお、図９に示すように、弾性部１３を第一、第二接続部１１、１２の間に通した構成としてもよい。このような構成としても、前記各部品の間で互いにスライド調整することができ、本発明を異なる患者が設置するのに必要な長さに適用することができる。
（実施例９）  
本発明で掲げる腓骨切断箇所の骨癒合を防止する接続装置は、第一、第二接続部１１、１２がチタン合金などの金属材料、ポリマー材料或いはセラミック材料から成型されている。弾性部１３は、シリコンなどの弾性材料から作り、該弾性部１３の両端をそれぞれ該第一、第二接続部１１、１２に嵌合させる。前記該第一、第二接続部１１、１２は、それぞれ嵌溝或いは嵌穴１１２、１２２を設けることで、該弾性部１３を成型する際、該弾性部１３は該嵌溝或いは嵌穴１１２、１２２の中に嵌めることができる。このことで、該第一、第二接続部１１、１２と弾性部１３を安定して結合することができる。
（実施例１０）  
図１２及び図１３に示すように、本発明で掲げる腓骨切断箇所の骨癒合を防止する接続装置は、第一、第二接続部１１、１２の一端を弾性部１３の中に嵌める構成となっている。該第一、第二接続部１１、１２にそれぞれ固定穴１１０、１２０を設けることで、該第一、第二接続部１１，１２をそれぞれネジを介して腓骨Ｆに螺接することができる。
（実施例１１）  
図１４及び図１５に示すように、本発明で掲げる腓骨切断箇所の骨癒合を防止する接続装置は、第一接続部１１が次第に鋭くなる釘状或いは円柱状に形成されている。そして、釘状或いは円柱状の部分は、腓骨Ｆの第一切断端Ｆ１の骨髄腔Ｆ１１の中に挿入して接続することができる。該第二接続部１２は、次第に鋭くなる釘状或いは円柱状にすることができ、該腓骨Ｆの第二切断端Ｆ２の骨髄腔Ｆ２１の中に挿入して接続することができる。
（実施例１２）  
前記弾性部１３は、図１４、図１５及び図１６に呈する螺旋状の溝部によって構成された圧縮槽１３ａを設けてもよい。或いは図１７に示すように、該弾性部１３の上に複数の溝或いは穴によって構成された圧縮槽１３ｂを設けることで、該弾性部１３の両端から相対して軸方向に圧縮することができ、第一、第二接続部１１，１２の距離を短くする。また、緩むと、軸方向に弾力を持って外側に伸展して復帰する。前記弾性部１３を装着する際、ツールＳ１、Ｓ２を介して本発明の両端を挟持し（或いは図１５のように、該ツールＳ１、Ｓ２を該第一、第二接続部１１、１２に通し、弾性部１３の部分で予めセットした穴の中に嵌める）、相対して該ツールＳ１、Ｓ２を合わせた後、弾性的に該弾性部１３の圧縮槽１３ａ或いは１３ｂを圧縮する。このことで、図１６に示す通り、本発明をスムーズに切断した後の腓骨Ｆの第一、第二切断端Ｆ１、Ｆ２の間に植え込むことができ、且つ該第一、第二接続部１１、１２を該腓骨Ｆの骨髄腔Ｆ１１、Ｆ２１の中に挿入することができる。
（実施例１３）  
図１８に示すように、本発明で掲げる腓骨切断箇所の骨癒合を防止する接続装置は、第一接続部１１の一端を弾性部１３の中に嵌め込まれている。また、第二接続部１２は、該弾性部１３の一つの滑り穴１３０の中に埋入されている。且つ該弾性部１３の直径方向に一つの縦穴１３３を設け、該縦穴１３３が直径方向に滑り穴１３０と連通している。図１９のように、一つのツールを該縦穴１３３に入れた後、該滑り穴１３０の中に位置する第二接続部１２を外側に向けて押し出し、それを対応する腓骨Ｆの骨髄腔Ｆ２１の中に挿入させる。
【００２６】
本発明は、切断された腓骨Ｆの両端に接続することができ、剛性の接続ではないことで、外力の弾性に従って変形することができる。よって有効的に脛骨Ｔの外側の支える力を無くすことができ、腓骨Ｆの切断した端の骨組織が任意に成長するのを避けることができる。また、切断された腓骨Ｆが任意に変位するのを制限することができ、また切断された腓骨Ｆが再度接触して融合するのを阻止することができ、患者の治癒チャンスを増やすことになる。また、従来技術の腓骨Ｆを切断した後に、適切な処置をされていない心の憂いを無くすことができる。
【００２７】
以上の実施例による本発明の詳細な説明は本発明の範囲を制限するものではない。本技術に熟知する者が、本発明の範囲内にて行う変更や調整を行っても、本発明の重要な意義は失われず、本発明の範囲に含まれる。
【符号の説明】
【００２８】
１１  第一接続部  
１１０  固定穴         
１１１  第一穴        
１１２  嵌溝或いは嵌穴        
１２  第二接続部      
１２０  固定穴
１２１  第二穴          
１２２  嵌溝或いは嵌穴
１３  弾性部         
１３ａ  １３ｂ  圧縮槽       
１３０  滑り穴           
１３１  材料充填穴 
１３２  固体弾性柱        
１３３  縦穴
１４  充填物         
１５  突出リング
Ｃ  注射器
Ｆ  腓骨            
Ｆ１  第一切断端         
Ｆ１１  骨髄腔         
Ｆ２  第二切断端
Ｆ２１  骨髄腔            
Ｓ  ツール             
Ｔ  脛骨
Ｌ  外側                
Ｍ  内側
【図１】
2017038923.tif 000003
【図２】
2017038923.tif 000004
【図３】
2017038923.tif 000005
【図４】
2017038923.tif 000006
【図５】
2017038923.tif 000007
【図６】
2017038923.tif 000008
【図７】
2017038923.tif 000009
【図８】
2017038923.tif 000010
【図９】
2017038923.tif 000011
【図１０】
2017038923.tif 000012
【図１１】
2017038923.tif 000013
【図１２】
2017038923.tif 000014
【図１３】
2017038923.tif 000015
【図１４】
2017038923.tif 000016
【図１５】
2017038923.tif 000017
【図１６】
2017038923.tif 000018
【図１７】
2017038923.tif 000019
【図１８】
2017038923.tif 000020
【図１９】
2017038923.tif 000021